(57)【特許請求の範囲】
【請求項１】
閉じた第１の端部と、
シリンダ（２）と、
前記シリンダ（２）内において移動可能に配置されたピストンであって、前記第１の端部から遠く離れた第１の作動チャンバ（８）と前記第１の端部に近い第２の作動チャンバ（９）とに前記シリンダ（２）を分割する前記ピストン（１０）と、
前記ピストン（１０）の片側に配置されたピストンロッド（５）であって、前記シリンダの長手中心軸に対し同心円状に前記第１の作動チャンバ（８）を貫通し、前記第１の端部と反対側の第２の端部のもとで案内・密封装置（４）により密封されて前記シリンダ（２）から外に出る前記ピストンロッド（５）と、を有するピストンシリンダユニットにおいて、
前記ピストンロッド（５）には第１のロック要素（１２）が、前記シリンダ（２）には第２のロック要素（２０）が、相互を機械的にロックするために配置されており、
前記第１のロック要素（１２）が、前記第２のロック要素（２０）とロックするようにかみ合って協働する複数のロックアーム（１６）を有し、または前記第２のロック要素（２０）が、前記第１のロック要素（１２）とロックするようにかみ合って協働する複数のロックアーム（１６）を有し、
前記ロックアーム（１６）が段付きリングディスク（３２）の開口部（３１）を通って延伸し、前記段付きリングディスク（３２）と、前記ピストン（１０）の第１の接続装置（３）の反対側との間に１つのスプリング（３３）が配置されており、該スプリング（３３）が前記段付きリングディスク（３２）に対して前記第１の接続装置（３）へと向かう方向の力を及ぼして該段付きリングディスク（３２）を前記ロックアーム（１６）の円弧状に形成された第２の領域（１８）へと押し付け、これにより前記ロックアーム（１６）に長手中心軸（Ａ）へ向かう方向に予荷重がかけられることを特徴とする、ピストンシリンダユニット。
【請求項２】
前記ロックアーム（１６）が、バネ弾性的に形成されていることを特徴とする、請求項１に記載のピストンシリンダユニット。
【請求項３】
前記第１のロック要素（１２）が、前記ピストンロッド（５）のジャーナル（７）に配置されるリング状部分（１５）を有することを特徴とする、請求項１または２に記載のピストンシリンダユニット。
【請求項４】
前記第１のロック要素（１２）が、前記ピストンロッド（５）に割り当てられた接続装置（６）の近傍に配置されるリング状部分（１５）を有することを特徴とする、請求項１または２に記載のピストンシリンダユニット。
【請求項５】
前記第２のロック要素（２０）が、前記シリンダ（２）に配置されるリング状部分（１５）を有することを特徴とする、請求項１または２に記載のピストンシリンダユニット。
【請求項６】
前記ロックアーム（１６）はバネ弾性の第１の領域（１７）を有しており、該ロックアーム（１６）が、アキシアル方向において前記リング状部分（１５）から離れるように延伸していることを特徴とする、請求項３〜５のいずれか１項に記載のピストンシリンダユニット。
【請求項７】
前記ロックアーム（１６）の前記第２の領域（１８）が前記第１の領域（１７）に隣接しており、該第２の領域（１８）が略アキシアル方向においてさらに延伸しながら前記シリンダ（２）の内壁へと向かう方向に曲げられていることを特徴とする、請求項６に記載のピストンシリンダユニット。
【請求項８】
前記ロックアーム（１６）の前記第２の領域（１８）には第３の領域（１９）が隣接し、この第３の領域（１９）が略アキシアル方向において延伸しながら前記長手中心軸（Ａ）の方向に曲げられていることを特徴とする、請求項７に記載のピストンシリンダユニット。
【請求項９】
前記ロックアーム（１６）の前記第２の領域（１８）と前記第３の領域（１９）とが、対称的に形成されていることを特徴とする、請求項８に記載のピストンシリンダユニット。
【請求項１０】
前記ロックアーム（１６）の前記第２の領域（１８）と前記第３の領域（１９）とが、非対称的に形成されていることを特徴とする、請求項８に記載のピストンシリンダユニット。
【請求項１１】
前記第２のロック要素（２０）が、リング状またはスリーブ状に形成されていることを特徴とする、請求項１〜１０のいずれか１項に記載のピストンシリンダユニット。
【請求項１２】
前記第２のロック要素（２０）の壁厚がその端面の両方ではわずかであり内側へと向かって増加することにより、第１の部分（２３）と第２の部分（２４）とが形成されることを特徴とする、請求項１１に記載のピストンシリンダユニット。
【請求項１３】
前記第２のロック要素（２０）がラジアル方向に周回するビード（３８）を有し、これにより前記第１の部分（２３）と前記第２の部分（２４）とが形成されることを特徴とする、請求項１１に記載のピストンシリンダユニット。
【請求項１４】
前記第１の部分（２３）と前記第２の部分（２４）との間に移行部分（２５）が形成されることを特徴とする、請求項１２または１３に記載のピストンシリンダユニット。
【請求項１５】
前記第１の部分（２３）および前記第２の部分（２４）が、対称的に形成されていることを特徴とする、請求項１２〜１４のいずれか１項に記載のピストンシリンダユニット。
【請求項１６】
前記第１の部分（２３）および前記第２の部分（２４）が、、非対称的に形成されていることを特徴とする、請求項１２〜１４のいずれか１項に記載のピストンシリンダユニット。
【請求項１７】
前記第２のロック要素（２０）が、前記シリンダ（２）内に固定するために、その外皮面に周回する溝（２１）を有することを特徴とする、請求項１〜１６のいずれか１項に記載のピストンシリンダユニット。
【請求項１８】
前記第２のロック要素（２０）が、前記シリンダ（２）内にある１以上の窪み（２２）によって形成されることを特徴とする、請求項１〜１７のいずれか１項に記載のピストンシリンダユニット。
【請求項１９】
前記第１のロック要素（１２）および前記第２のロック要素（２０）のかみ合いおよびかみ合い解除を、カバーをロック位置へと移行させる使用者が音で知覚できることを特徴とする、請求項１〜１８のいずれか１項に記載のピストンシリンダユニット。
【請求項２０】
前記第１のロック要素（１２）または前記第２のロック要素（２０）が、ボールピボットとして形成されていることを特徴とする、請求項１〜５のいずれか１項に記載のピストンシリンダユニット。
【発明の詳細な説明】
【技術分野】
【０００１】
本発明は、閉じた第１の端部と、シリンダと、このシリンダ内で移動可能に配置されたピストン（シリンダを第１の端部から遠く離れた第１の作動チャンバと、第１の端部に近い第２の作動チャンバとに分割する）と、前記ピストンの片側に配置されたピストンロッド（シリンダの長手中心軸に対して同心円状に、第１の作動チャンバを貫通し、第１の端部と対向する第２の端部のもとで案内・密封装置によって密封されてシリンダから外に出る）と、を有するピストンシリンダユニットに関する。前記ピストンロッドには第１のロック要素が、そしてシリンダには第２のロック要素が相互に機械的にロックするために配置されている。
【背景技術】
【０００２】
特許文献１によって、ガススプリングの機械的ロック装置が知られている。この機械的ロック装置は、ピストンロッドのピストン側の端部のもとで第１のロック要素を、そして密封・案内パッケージによって開かれた、シリンダの端部に配置された第２のロック要素を有する。第１のロック要素は、第２のロック要素の方に指向されたテーパ部を有し、このテーパ部にはリング溝が隣接している。第２のロック要素はスリーブとして形成されており、このスリーブはその内径のもとで１つの溝を有する。この溝の中には１つのスナップリングがルーズに配置されている。このスリーブは、シリンダ内にある条溝によって、および密封・案内パッケージによって軸方向に固定されている。この発明の第２の実施形態のもとではピストン側にピストンロッドのもとに１つのカムドラムが配置されており、このカムドラムは、その外周部に分配された複数のカムを有する。これらのカムは、カムドラムに対して半径方向において外側へと向けて隆起している。密封・案内パッケージのもとには１つのカムクラウンと１つのカムスリーブとがあり、これらのカムクラウンとカムスリーブは、シリンダ内にある条溝によってシリンダ内に固定されている。カムスリーブとカムクラウンは、カムの形をした複数の曲線軌道を有し、これらの曲線軌道は、半径方向において内側へと向けて突き出している。カムドラムのカムは保護側面を有し、カムスリーブは、カムクラウンと同様に保護側面とノッチとを有する。
【０００３】
【特許文献１】ＤＴ２３４５５０３Ａ１
【発明の開示】
【発明が解決しようとする課題】
【０００４】
本発明の課題は、押し込んだ状態と引き出した状態においてピストンシリンダユニットをロックできる、簡単な構造を有するピストンシリンダユニットを提供することである。
【課題を解決するための手段】
【０００５】
この課題は、本発明によれば、第１のロック要素がロックするようにかみ合いながら第２のロック要素と協働する複数のロックアームを有することによって、または第２のロック要素がロックするようにかみ合いながら第１のロック要素と協働する複数のロックアームを有することによって解決される。
【０００６】
特別な実施形態において、ロックアームはバネ弾性的に形成されている。
【０００７】
第１のロック要素は、ピストンロッドのピンに配置されたリング状部分を有することが好ましい。
【０００８】
別の選択肢として、第１のロック要素はリング状部分を有し、このリング状部分はピストンロッドに割り当てられた接続装置の近傍に配置されている。
【０００９】
別の実施形態において、第２のロック要素はリング状部分を有し、このリング状部分は、シリンダに配置されている。
【００１０】
別の実施形態において、第１のバネ弾性領域を有するロックアームは、アキシアル方向においてリング状部分から離れるように延伸している。
【００１１】
本発明によれば、ロックアームは第１の領域に隣接する第２の領域を有し、この第２の領域は、実質的にアキシアル方向においてさらに延伸しているが、しかしシリンダの内壁へと向かう方向に曲げられている。
【００１２】
ロックアームの第２の領域には第３の領域が隣接し、この第３の領域は実質的にアキシアル方向において延伸しているが、しかし長手中心軸の方向に曲げられている。
【００１３】
ロック力およびロック解除力を変化させるために、ロックアームの第２の領域と第３の領域は、対称的に、または非対称的に形成されており、これによってロックおよびロック解除するのにともに同じ力を加えねばならない。
【００１４】
別の選択肢として、ロック力とロック解除力を異なる値にするためにロックアームの第２の領域と第３の領域を非対称的に形成することができる。
【００１５】
一実施形態において、第２のロック要素は、本発明によればリング状に、またはスリーブ状に形成されている。
【００１６】
別の実施形態において、第２のロック要素の壁厚は、両方の端面のもとでわずかな厚みを有し、そしてこの厚みは、内側へと向かって増加し、これによって第１の部分と第２の部分が形成される。
【００１７】
前記第１の部分と第２の部分との間には、１つの移行部分が形成される。
【００１８】
これら両方の部分は、対称的に、または非対称的に形成されており、これによってロック力とロック解除力とを変化させることができる。
【００１９】
第２のロック要素を簡単な方法でシリンダに固定できるようにするために、第２のロック要素はその外皮面に１つの周回する溝を有する。
【００２０】
特に簡単な、しかも同時に材料を節約できる変形において、第２のロック要素は、シリンダ内にある１つまたは複数の窪みによって形成される。
【００２１】
カバーをロック位置へと移行させる人が両方のロック要素のかみ合いとかみ合い解除を音で知覚できることによって、両方のロック要素が互いにロックされていることを確信できる。
【００２２】
本発明によると、ロックアームは段付きリングディスクの開口部を通って延伸し、そして段付きリングディスクと、ピストンの、第１の接続装置の方を向いた側との間に１つのスプリングが配置されており、その際に前記スプリングは、段付きリングディスクに対して第１の接続装置へと向かう方向の力を及ぼし、そしてこの段付きリングディスクをロックアームの円弧状に形成された第２の領域へと押し付け、これによってロックアームには長手中心軸へと向かう方向に予荷重がかけられる。
【００２３】
本発明に基づく別の実施形態において第１のロック要素、または第２のロック要素は、ボールピボットとして形成されている。
【００２４】
参考例として、バネ弾性の第１の領域を有するロックアームは、ラジアル方向においてリング状部分から離れるように延伸していてもよい。
【００２５】
参考例として、ロックアームは、第１の領域に隣接する第２の領域を有し、この第２の領域は、実質的にラジアル方向においてさらに延伸しているが、しかしシリンダのアキシアル方向に曲げられている。
【００２６】
また、別の参考例として、第１のバネ弾性領域を有するロックアームは、ロック解除された位置において第１の平衡位置に相当する予荷重を有し、そしてロックされた位置において第２の平衡位置に相当する、上記と逆方向に作用する予荷重を有することができる。
【発明を実施するための最良の形態】
【００２７】
本発明の実施例は図面に示されており、そして以下において詳しく記述される。
【００２８】
図１は、ここでは例えばシングルパイプダンパとして示されたピストンシリンダユニット１の縦断面図を示す。このピストンシリンダユニットはシリンダ２を有する。このシリンダ２は閉じた第１の端部を有し、この第１の端部には第１の接続装置３が配置されている。シリンダ２の、第１の接続装置３とは反対側の端部には１つの密封・案内パッケージ（案内・密封装置）４が配置されている。この密封・案内パッケージによって長手中心軸Ａに対して同心円状に１つのピストンロッド５が密封されており、そしてアキシアル方向において外側へと向けて移動可能なように案内される。ピストンロッド５の外側へ向けて突き出る端部には第２の接続装置６が配置されている。これらの第１の接続装置３および第２の接続装置６には図示されていないリンクアイレットまたはボールソケットが取り付けられている。ピストンシリンダユニット１は、これらのリンクアイレットまたはボールソケットによって、一方では同じく図示されていない部品、例えば自動車のボディに、そして他方では固定している部品に対して相対的に旋回可能な旋回部品（カバー）、例えば、トランクルームのフラップにそれぞれ取り付けることができる。
【００２９】
ピストンロッド５の、第２の接続装置６とは反対側の端部には、小さな直径を有するジャーナル７およびこれによってピストンロッド５に１つの段部が形成されている。このジャーナル上には、シリンダ２をピストンロッド側の第１の作動チャンバ８と、ピストンロッドから離れた第２の作動チャンバ９とに分割するピストンパッケージ（以下これをピストン１０と称する）が配置されている。このピストン１０は流体連通部を有することができる。この流体連通部によって流体（例えば、オイル、または窒素の形をした高圧ガス）は、第１の作動チャンバ８から第２の作動チャンバ９へ、またはこの逆へと流れることができる。別の流体連通部は、シリンダ２内においてアキシアル方向に延伸している溝１１によってもたらすことができる。
【００３０】
ジャーナル７によって形成された段部とピストン１０との間には、第１のロック要素１２が配置されており、その際に段部は第１のロック要素１２およびピストン１０向けのストッパとして用いられる。ジャーナル７の端部はネジ部１３を備えており、このネジ部にはナット１４がねじ込まれてジャーナル７上にピストン１０と第１のロック要素１２を固定する。しかしながらこれとは別の接合技術（例えば、リベット留め、または溶接）を用いてもよい。第１のロック要素１２はリング状部分１５を有する。このリング状部分は、ラジアル方向においてジャーナル７からシリンダ２の内壁へと向かう方向に延伸しているが、内壁には接触していない。このリング状部分１５から少なくとも１つの、好ましくは多数のロックアーム１６が、第１の作動チャンバ８内へアキシアル方向に延伸している。これらのロックアーム１６は、それぞれアキシアル方向において密封・案内パッケージ４の方を向いているバネ弾性の第１の領域１７と、この第１の領域１７に隣接する第２の領域１８（この第２の領域は、密封・案内パッケージ４へと向かう方向においてさらに延伸しているが、しかしシリンダ２の内壁へと向かう方向に曲げられている）と、この第２の領域１８に隣接する第３の領域１９とを含んでおり、この第３の領域は、再び実質的に密封・案内パッケージ４へと向かう方向に延伸しているが、しかし長手中心軸Ａへと向かう方向に曲げられている。
【００３１】
シリンダ２内の密封・案内パッケージ４の近傍には第２のロック要素２０が配置されている。この第２のロック要素２０はリング状またはスリーブ状に形成されており、その外皮面には１つの溝２１を有する。この溝の中にシリンダ２の材料が条溝の形で、または複数の周回するカムの形で押し込まれ、これによってシリンダ２の壁に１つまたは複数の窪み２２が生じる。スリーブ状に形成された第２のロック要素２０の壁厚は、両方の端面ではわずかな厚みであり、そしてこの厚みは内側へと向かって増加することによって、傾斜路状の第１の部分２３と傾斜路状の第２の部分２４が形成される。第１の部分２３と第２の部分２４との間には移行部分２５が形成される。この移行部分２５は、突端として形成することができ、またはアキシアル方向に延伸する面として形成することができる。
【００３２】
シリンダ２からピストンロッド５を引き出す際に第１のロック要素１２の第３の領域１９は、図２に詳細に示された第２のロック要素２０の第１の部分２３に当たり、その際にロックアーム１６が長手中心軸Ａの方向へと押しやられる。移行部分２５を通過したあと、第１のロック要素１２のロックアーム１６の第２の領域１８は第２の部分２４を越えて移動されて、ロックアーム１６が再びその元の形状に戻る。その際、ロック要素１２、２０両方のかみ合いおよびかみ合い解除を、カバーをロック位置へと移行させる使用者が音によって知覚できると有利であることがわかっている。
【００３３】
第１の部分２３および第２の部分２４を図３に示したように形成することによって、これらのロック要素の保持力を変えることができる。ロック力とロック解除力を異なるものとするために、第１の部分２３および第２の部分２４は異なる勾配を有する。
【００３４】
ロック解除するためには、ロック装置のないピストンシリンダユニットを通常通り押し込む場合よりも大きな力を加えねばならない。大きな力を加えることなくロック解除を実施できるようにするためには、第２のロック要素２０を密封・案内パッケージ４に対して所定の間隔を伴って配置し、ピストンシリンダユニット１を押し込む際に第２のロック要素２０の第２の部分２４を越えて第１のロック要素１２のロックアーム１６を勢いよく移動させるために、第１のロック要素と第２のロック要素との間に所定の遊びを設けることが可能である。
【００３５】
一方ではピストンシリンダユニット１を引き出す力のみにより、第１のロック要素１２のロックアーム１６が第２のロック要素２０の第１の部分２３を越えて移動可能であることをあらかじめ考慮することができる。他方ではロックアーム１６の第３の領域１９が第２のロック要素２０の第１の部分２３に当たるまでピストンロッド５がシリンダ２から引き出され、そのあと図示されない旋回可能な部品に手で力を加えて第１の部分２３を越えて移動さることができるようにロックアーム１６のバネ力、または第２の部分２４の角度を選択することができる。
【００３６】
図４に示した第２のロック要素２０において、移行部分２５は、第２のロック要素２０にわたって穴として同心円状に延伸し、その際に第１の部分２３と第２の部分２４は、第２のロック要素２０の両方の端面のもとで穴の周回する内側縁部によって形成される。
【００３７】
図５は、第２のロック要素２０の別の実施形態を示す。シリンダ２内において１つの周回する窪み２２が、第２のロック要素２０を形成し、その際に第１の部分２３と第２の部分２４は、傾斜路状に異なる勾配でもって形成されている。
【００３８】
図６ａは、ケージ状に形成された第１のロック要素１２を縦断面図で示し、図６ｂは、これと同じ第１のロック要素１２を三次元で表示する。第２の領域１８と第３の領域１９は、図１に示した第１のロック要素１２と比較して互いに異なる角度を有することによりロック要素の保持力を変化させることができる。しかしながら、これは第２のロック要素２０の第１の部分２３と第２の部分２４の勾配にも依存する可能性がある。
【００３９】
図６ｂからわかるように、第１のロック要素１２の部分１５はリングディスクとして形成されており、このリングディスクから複数のロックアーム１６が、アキシアル方向に延伸している。
【００４０】
図６ｃは、第１のロック要素１２の別の実施形態を示し、その際にロックアーム１６の第２の領域１８および第３の領域１９は、共同で１つの半円を形成する。
【００４１】
図７は、ピストンシリンダユニット１の別の実施形態を示す。図１に示した実施形態と異なり、第１のロック要素１２のスプリングアーム１６はピストンシリンダユニット１の接続装置３の方向に延伸している。ジャーナル７の端部は、１つのネジ部１３を備えており、このネジ部に雌ネジ２７を有する固定要素２６がねじ込まれることにより、ピストン１０と第１のロック要素１２がピストンロッド５に固定される。固定要素２６をネジ部１３にねじ込むことができるようにするため、ロック要素は接続装置３の方を向いた側に例えば六角穴、スリット、クロススリットなどの形をした切除部２８を有し、この切除部にスクリュドライバをはめ込むことができる。
【００４２】
シリンダ２の閉じた第１の端部において、シリンダ２内に第２のロック要素２０が配置されている。この第２のロック要素２０は、一端面においてシリンダ２の閉じた第１の端部によって支持されたディスク２９に支持されている。第２のロック要素２０は、反対側の端面においてシリンダ２の外皮面にある１つ、または複数の窪み２２によりアキシアル方向に移動できないように固定されている。
【００４３】
ディスク２９は、シリンダ２の曲げ箇所での公差を補正し、第２のロック要素２０に対し正確な座を提供するために、接続装置３へと向けて１つの周回する傾斜部３０を有する。
【００４４】
第２のロック要素２０はディスク２９と一体に連結されること、またはこれら両方の部品をプレハブすることが考えられる。
【００４５】
図７に示したピストンシリンダユニット１は、作動方法は図１に関連して記述した作動法と同じであるが、押し込まれた状態でロック可能である点が異なっている。
【００４６】
図８ａは、本発明の実施形態を示す。ロックアーム１６は、段付きリングディスク３２にある開口部３１を通じて延伸している。この段付きリングディスク３２と、第１の接続装置３の方を向いたピストン１０の側との間には、スプリング３３が配置されている。このスプリング３３は、段付きリングディスク３２を介して第１の接続装置３へと向かう方向に力を及ぼし、そして段付きリングディスク３２をロックアーム１６の円弧状に形成された、曲げられた第２の領域１８に押し付けることにより長手中心軸Ａへと向かう方向に予荷重がかけられる。
【００４７】
図８ｂに示したように、ピストンロッド５が押し込まれると、すなわちピストンロッド５が第１の接続装置３の方向へと移動すると、ロックアーム１６は第２のロック要素２０の移行部分２５を通って移動する。段付きリングディスク３２は、大きな直径を有する領域３４によって第２のロック要素２０と接触する。その際に小さな直径を有する段付きリングディスク３２の領域３５は、第２のロック要素２０の移行部分２５に入り込む一方、ロックアーム１６は、第１の接続装置３の方向へとさらに移動する。その際にさらにロックアーム１６は、長手中心軸Ａからラジアル方向に離れるように移動する。
【００４８】
図９ａは、本発明の別の実施形態を示す。ロックアーム１６は、ジャーナル７の端部に配置されているリング状部分１５から接続装置３の方向へと延伸している。ピストンロッド５が押し込まれると、ロックアーム１６はシリンダ２の閉じた端部に配置されているボールピボット３７のボール３６を包摂する。
【００４９】
図９ｂに示した本発明に基づく実施形態においてボールピボット３７は、ジャーナル７の端部に配置されている。ロックアーム１６は、ピストンロッドが押し込まれる際にロックアーム１６がボールピボット３７のボール３６を包摂するように、ロックアーム１６はシリンダ２の閉じた端部からピストン１０へと向かう方向に延伸している。
【００５０】
図１０に示した実施形態において、第１のロック要素１２は第２の接続装置６によって移動させられ、その際にロックアーム１６は、シリンダ２へと向けて実質的にアキシアル方向で延伸している。密封・案内パッケージ４は第２のロック要素２０を含み、この第２のロック要素は、ピストンシリンダユニット１の第１の端部の反対側の端部から第２の接続装置６へとアキシアル方向に向かう方向に延伸している。第２のロック要素２０の、シリンダ２の外側にある部分には、外側へとラジアル方向で指向された周回する１つのビード３８が形成されており、これによって第１の傾斜路状部分２３と第２の傾斜路状部分２４が形成される。第１の部分と第２の部分とが間で終わる箇所には移行部分２５が形成される。この移行部分２５は、突端として形成してもよく、またはアキシアル方向に延伸する面として形成してもよい。第２のロック要素２０は、別個の部品として形成してもよく、または密封・案内パッケージの部品と一体式に連結させてもよい。
【００５１】
図１１ａは、参考例として、第１のロック要素を有するピストンシリンダユニット１を示す。この第１のロック要素は、上述した図面の第１のロック要素１２と同じ参照符号を有するが、添字を付されている。
【００５２】
第１のロック要素１２’は、ピストンロッド５のジャーナル７に形成される段部に接している。第１のロック要素１２’には同じくジャーナル７を経て押し込まれたスリーブ３９が隣接している。このスリーブは、ピストン１０に対するスペーサとして用いられる。第１のロック要素１２’、スリーブ３９、およびピストン１０は、ネジ部１３を備えたジャーナル７上にナット１４により固定される。第１のロック要素のロックアーム１６’は、アキシアル方向において第１の平衡位置を形成する予荷重がかかると、実質的にラジアル方向においてリング状部分１５’から離れるように延伸する。ロックアーム１６’はバネ弾性の第１の領域１７’を有し、このバネ弾性の領域から第２の領域１８’が、実質的にアキシアル方向に延伸している。
【００５３】
ピストンロッド５がシリンダ２から引き出されると、第１のロック要素１２’は、その第２の領域１８’によって密封・案内パッケージ４と接触する。その際、ロックアーム１６’の第１の領域１７’は、図１１ｂに示したようにその予荷重に抗して若干引き伸ばされる。この結果、この第１の領域はラジアル方向において広げられ、そしてそのままにとどまり前よりも大きな直径を形成する。このとき第１のロック要素１２’は第２の平衡位置にある。スリーブ３９のアキシアル方向の長さは、ピストン１０が同時に第２のロック要素２０’に当たるように設計されている。
【００５４】
ピストンロッド５を押し込む際に、第２の領域１８’はシリンダ２内に形成された第２のロック要素２０’に接触し、これによりロック要素１２’と２０’両方のロックが行われる。このロックを再び解除するためには、カバーを閉じる際に追加の力をカバーに加えねばならない。このとき第１の領域１７’は、その第２の平衡位置から第１の平衡位置へと再び戻る。これにより元の形状に戻り、第２のロック要素２０’を通過することができる。ここでも、カバーをロック位置、またはロック解除位置へと移行させる使用者は、両方のロック要素１２’と２０’のかみ合い及びかみ合い解除を音により知覚できる。
【００５５】
第１のロック要素１２’と第２のロック要素２０’の配置は、シリンダの閉じた端部でも行うことができる。その結果、ピストンロッド５をシリンダ２内に押し込む場合にも上述したロックを適用できる。
【図面の簡単な説明】
【００５６】
【図１】第１のロック装置と第２のロック装置を有するピストンシリンダユニットの第１の実施例の縦断面図。
【図２】図１によるピストンシリンダユニットのロック要素の第１の実施形態の詳細縦断面図。
【図３】図１によるピストンシリンダユニットのロック要素の第２の実施形態の詳細縦断面図。
【図４】図１によるピストンシリンダユニットのロック要素の第３の実施形態の詳細縦断面図。
【図５】図１によるピストンシリンダユニットのロック要素の第４の実施形態の詳細縦断面図。
【図６ａ】図１によるピストンシリンダユニットの別のロック要素の第１の実施形態の詳細縦断面図。
【図６ｂ】図６ａに示したロック要素の三次元表示。
【図６ｃ】図６ａおよび図６ｂによる別のロック要素の第２の実施形態の詳細図。
【図７】ピストンシリンダユニットの第２の実施例の縦断面図。
【図８ａ】図１によるピストンシリンダユニットのロック要素の第５の実施形態の詳細縦断面図。
【図８ｂ】図１によるピストンシリンダユニットのロック要素の第５の実施形態の別の詳細縦断面図。
【図９ａ】図１によるピストンシリンダユニットのロック要素の第６の実施形態の詳細縦断面図。
【図９ｂ】図１によるピストンシリンダユニットのロック要素の第６の実施形態の別の詳細縦断面図。
【図１０】ピストンシリンダユニットの第３の実施例の縦断面図。
【図１１ａ】ピストンシリンダユニットの参考例の縦断面図。
【図１１ｂ】図１１ａに示したピストンシリンダユニットの別の図面。
【符号の説明】
【００５７】
１：ピストンシリンダユニット、２：シリンダ、３：第１の接続装置、４：密封・案内パッケージ（案内・密封装置）、５：ピストンロッド、６：第２の接続装置、７：ジャーナル、８：第１の作動チャンバ、９：第２の作動チャンバ、１０：ピストン、１１：溝、１２：第１のロック要素、１２’第１のロック要素、１３：ネジ部、１４：ナット、１５：リング状部分、１５’：リング状部分、１６：ロックアーム、１６’：ロックアーム、１７：第１の領域、１７’：第１の領域、１８：第２の領域、１８’：第２の領域、１９：第３の領域、２０：第２のロック要素、２０’：第２のロック要素、２１：溝、２２：窪み、２３：第１の部分、２４：第２の部分、２５：移行部分、２６：固定要素、２７：雌ネジ、２８：切除部、２９：ディスク、３０：傾斜部、３１：開口部、３２：段付きリングディスク、３３：スプリング、３４：領域、３５：領域、３６ ボール、３７：ボールピボット、３８：ビード、３９：スリーブ、Ａ：長手中心軸。
【図１】
0004800350.tif 000002
【図２】
0004800350.tif 000003
【図３】
0004800350.tif 000004
【図４】
0004800350.tif 000005
【図５】
0004800350.tif 000006
【図６ａ】
0004800350.tif 000007
【図６ｂ】
0004800350.tif 000008
【図６ｃ】
0004800350.tif 000009
【図７】
0004800350.tif 000010
【図８ａ】
0004800350.tif 000011
【図８ｂ】
0004800350.tif 000012
【図９ａ】
0004800350.tif 000013
【図９ｂ】
0004800350.tif 000014
【図１０】
0004800350.tif 000015
【図１１ａ】
0004800350.tif 000016
【図１１ｂ】
0004800350.tif 000017